(57)【要約】【課題】ヒートポンプの稼働率をさらに高めることができる貯湯式給湯装置を提供する。【解決手段】コントローラ７０は、第２膨張弁５３を停止状態とし、タンク循環ポンプ３１と圧縮機４１と第１膨張弁５７とを作動させて、タンク熱交換器４３と室外熱交換器４４と第１室内熱交換器５５と第２室内熱交換器５８とによる熱交換を行うことにより、貯湯タンク１１内の湯水の加熱と室内の乾燥を行う蓄熱乾燥運転と、第１膨張弁５７を停止状態とし、タンク循環ポンプ３１と圧縮機４１と第２膨張弁５３を作動させて、タンク熱交換器４３と第１室内熱交換器５５と第２室内熱交換器５８とによる熱交換を行うことにより、貯湯タンク１１内の湯水の加熱と室内の冷房を行う蓄熱冷房運転とを実行する。【選択図】  図１
2014202378.tif 000002
【特許請求の範囲】
【請求項１】
貯湯タンクと、両端が該貯湯タンクに連通したタンク循環路とを有する貯湯ユニットと、
前記貯湯タンク内の湯水を前記タンク循環路を介して循環させるタンク循環ポンプと、冷媒が封入された主冷媒循環路と、該主冷媒循環路に設けられて該主冷媒循環路を流通する冷媒を圧縮する圧縮機と、前記主冷媒循環路に設けられて前記圧縮機で圧縮された冷媒が供給されると共に、前記タンク循環路に接続されて、前記主冷媒循環路を流通する冷媒と前記タンク循環路を流通する湯水との間で熱交換を行うタンク熱交換器と、室外において前記主冷媒循環路の前記タンク熱交換器との間に前記圧縮機を挟む位置に設けられて、前記主冷媒循環路を流通する冷媒と外気との間で熱交換を行う室外熱交換器とを有するヒートポンプユニットと、
一端が前記主冷媒循環路の一端に接続されると共に、他端が前記主冷媒循環路の他端に接続されて冷媒が封入された空調冷媒循環路と、室内において該空調冷媒循環路に設けられて前記空調冷媒循環路を流通する冷媒と室内空気との間で熱交換を行う第１室内熱交換器と、室内において前記空調冷媒循環路の前記室外熱交換器側の前記主冷媒循環路との接続箇所と前記第１室内熱交換器との間に設けられて、前記空調冷媒循環路を流通する冷媒と室内空気との間で熱交換を行う第２室内熱交換器と、前記空調冷媒循環路の前記第１室内熱交換器と前記第２室内熱交換器との間に設けられて前記空調冷媒循環路を流通する冷媒を膨張させる第１膨張弁と、前記空調冷媒循環路の前記主冷媒循環路との前記タンク熱交換器側の接続箇所と前記第１室内熱交換器との間に設けられて、前記空調冷媒循環路を流通する冷媒を膨張させる第２膨張弁とを有する空調ユニットと、
前記第２膨張弁を停止状態とし、前記タンク循環ポンプと前記圧縮機と前記第１膨張弁とを作動させて、前記タンク熱交換器と前記室外熱交換器と前記第１室内熱交換器と前記第２室内熱交換器とによる熱交換を行うことにより、前記貯湯タンク内の湯水の加熱と前記室内の乾燥を行う蓄熱乾燥運転と、前記第１膨張弁を停止状態とし、前記タンク循環ポンプと前記圧縮機と前記第２膨張弁を作動させて、前記タンク熱交換器と前記第１室内熱交換器と前記第２室内熱交換器とによる熱交換を行うことにより、前記貯湯タンク内の湯水の加熱と前記室内の冷房を行う蓄熱冷房運転とを実行する制御部と
を備えたことを特徴とする貯湯式給湯装置。
【請求項２】
請求項１に記載の貯湯式給湯装置において、
前記制御部は、前記蓄熱乾燥運転を実行するときに、前記蓄熱乾燥運転の開始から所定の乾燥進行条件が成立するまでの間は、前記タンク熱交換器による湯水の加熱量を第１加熱量以上とし、該乾燥進行条件が成立した後は、前記タンク熱交換器による湯水の加熱量を該第１加熱量よりも減少させることを特徴とする貯湯式給湯装置。
【請求項３】
請求項１又は請求項２に記載の貯湯式給湯装置において、
前記空調ユニットをバイパスして、前記主冷媒循環路の前記空調冷媒循環路との接続箇所間を連通する空調ユニットバイパス路と、
前記空調ユニットバイパス路内の冷媒の流通が可能であると共に、前記主冷媒循環路と前記空調冷媒循環路との間の冷媒の流通が不能である空調ユニット非接続状態と、前記空調ユニットバイパス路内の冷媒の流通が不能であると共に、前記主冷媒循環路と前記空調冷媒循環路との間の冷媒の流通が可能である空調ユニット接続状態とを切替える空調ユニット接続切替部と、
前記主冷媒循環路の前記タンク熱交換器と前記室外熱交換器との間に設けられて、前記主冷媒循環路を流通する冷媒を膨張させる第３膨張弁と
を備え、
前記制御部は、前記空調ユニット接続切替部により前記空調ユニット非接続状態とすると共に、前記タンク循環ポンプと前記圧縮機と前記第３膨張弁とを作動させて、前記タンク熱交換器と前記室外熱交換器とによる熱交換を行うことにより、前記貯湯タンク内の湯水を加熱する単独蓄熱運転を実行することを特徴とする貯湯式給湯装置。
【発明の詳細な説明】
【技術分野】
【０００１】
本発明は、貯湯タンク内の湯水をヒートポンプにより加熱する貯湯式給湯装置に関する。
【背景技術】
【０００２】
従来より、貯湯タンクに貯められた湯水を、ヒートポンプにより外気から汲み上げた熱によって加熱するようにした貯湯式給湯装置が知られている（例えば、特許文献１参照）。特許文献１に記載された貯湯式給湯装置においては、ヒートポンプは専ら貯湯タンク内の湯水の加熱に用いられている。
【０００３】
また、ヒートポンプを貯湯タンク内の湯水の加熱以外の用途にも用いた構成として、貯湯タンク内の湯水の加熱と浴室の暖房・乾燥を同時又は切替えて行うようにした構成が提案されている（例えば、特許文献２参照）。
【先行技術文献】
【特許文献】
【０００４】
【特許文献１】特許第３８６７５４７号公報
【特許文献２】特開２００４−２００８５号公報
【発明の概要】
【発明が解決しようとする課題】
【０００５】
特許文献２に記載された貯湯式給湯装置においては、貯湯タンク内の湯水の加熱の他に、暖房・乾燥の単独運転と貯湯タンク内の湯水の加熱と暖房・乾燥の同時運転を可能にすることによって、ヒートポンプの稼働率を高めているが、ヒートポンプの稼働率をさらに高めることが望まれている。
【０００６】
本発明は上記背景に鑑みてなされたものであり、ヒートポンプの稼働率をさらに高めることができる貯湯式給湯装置を提供することを目的とする。
【課題を解決するための手段】
【０００７】
本発明は上記目的を達成するためになされたものであり、本発明の貯湯式給湯装置は、
貯湯タンクと、両端が該貯湯タンクに連通したタンク循環路とを有する貯湯ユニットと、
前記貯湯タンク内の湯水を該タンク循環路を介して循環させるタンク循環ポンプと、冷媒が封入された主冷媒循環路と、該主冷媒循環路に設けられて該主冷媒循環路を流通する冷媒を圧縮する圧縮機と、前記主冷媒循環路に設けられて前記圧縮機で圧縮された冷媒が供給されると共に、前記タンク循環路に接続されて、前記主冷媒循環路を流通する冷媒と前記タンク循環路を流通する湯水との間で熱交換を行うタンク熱交換器と、室外において前記主冷媒循環路の前記タンク熱交換器との間に前記圧縮機を挟む位置に設けられて、前記主冷媒循環路を流通する冷媒と外気との間で熱交換を行う室外熱交換器とを有するヒートポンプユニットと、
一端が前記主冷媒循環路の一端に接続されると共に、他端が前記主冷媒循環路の他端に接続されて冷媒が封入された空調冷媒循環路と、室内において該空調冷媒循環路に設けられて前記空調冷媒循環路を流通する冷媒と室内空気との間で熱交換を行う第１室内熱交換器と、室内において前記空調冷媒循環路の前記室外熱交換器側の前記主冷媒循環路との接続箇所と前記第１室内熱交換器との間に設けられて、前記空調冷媒循環路を流通する冷媒と室内空気との間で熱交換を行う第２室内熱交換器と、前記空調冷媒循環路の前記第１室内熱交換器と前記第２室内熱交換器との間に設けられて前記空調冷媒循環路を流通する冷媒を膨張させる第１膨張弁と、前記空調冷媒循環路の前記主冷媒循環路との前記タンク熱交換器側の接続箇所と前記第１室内熱交換器との間に設けられて、前記空調冷媒循環路を流通する冷媒を膨張させる第２膨張弁とを有する空調ユニットと、
前記第２膨張弁を停止状態とし、前記タンク循環ポンプと前記圧縮機と前記第１膨張弁とを作動させて、前記タンク熱交換器と前記室外熱交換器と前記第１室内熱交換器と前記第２室内熱交換器とによる熱交換を行うことにより、前記貯湯タンク内の湯水の加熱と前記室内の乾燥を行う蓄熱乾燥運転と、前記第１膨張弁を停止状態とし、前記タンク循環ポンプと前記圧縮機と前記第２膨張弁を作動させて、前記タンク熱交換器と前記第１室内熱交換器と前記第２室内熱交換器とによる熱交換を行うことにより、前記貯湯タンク内の湯水の加熱と前記室内の冷房を行う蓄熱冷房運転とを実行する制御部とを備えたことを特徴とする。
【０００８】
かかる本発明によれば、前記第２膨張弁を備えることにより、前記第２膨張弁を作動させて前記第１室内熱交換器に低圧・低温の冷媒を供給することができる。そのため、前記制御部は、前記貯湯タンク内の湯水の加熱と前記室内の乾燥を行う蓄熱乾燥運転に加えて、前記貯湯タンク内の湯水の加熱と前記室内の冷房を行う蓄熱冷房運転を実行することができる。そして、これにより、夏季等の気温が高い時期に、前記蓄熱冷房運転を実行して室内を冷房することができるため、前記ヒートポンプの稼働率をさらに高めることができる。また、この場合には、前記第１室内熱交換器及び前記第２室内熱交換器により回収した熱を有効に利用して、前記貯湯タンク内の湯水を加熱することができる。
【０００９】
なお、本発明における貯湯ユニットとヒートポンプユニットと空調ユニットの区分けは機能的なものであり、必ずしも同一の筐体内に配置されて区分けされることを意味するものではない。例えば、前記タンク循環ポンプについて、前記圧縮機や前記冷媒循環回路が収容された筐体内に前記タンク循環ポンプが配置される実施形態の他に、前記貯湯タンクが収容された筐体内に前記タンク循環ポンプが配置される実施形態も含むものである。
【００１０】
また、前記制御部は、前記蓄熱乾燥運転を実行するときに、前記蓄熱乾燥運転の開始から所定の乾燥進行条件が成立するまでの間は、前記タンク熱交換器による湯水の加熱量を第１加熱量以上とし、該乾燥進行条件が成立した後は、前記タンク熱交換器による湯水の加熱量を該第１加熱量よりも減少させることが好ましい。
【００１１】
この構成によれば、前記乾燥運転の開始時は、室内に干された衣類の含水量が多く乾燥し易いため、前記タンク熱交換器による加熱量を前記第１加熱量以上として前記貯湯タンク内の湯水の加熱を促進すると共に、前記第１室内熱交換器による室内空気の加熱量を少なくして低温・低湿度の室内空調を行って、効率良く前記貯湯タンク内の湯水の加熱と室内の衣類の乾燥を行なうことができる。そして、衣類の乾燥が進んで前記乾燥進行条件が成立した後は、前記タンク熱交換器による湯水の加熱量を減少させて前記第１室内熱交換器による室内空気の加熱量を増大させることにより、高温・低湿度の室内空調を行なって、含水量の減少により乾燥し難くなった衣類の乾燥を促進することができる。
【００１２】
また、前記空調ユニットをバイパスして、前記主冷媒循環路の前記空調冷媒循環路との接続箇所間を連通する空調ユニットバイパス路と、
前記空調ユニットバイパス路内の冷媒の流通が可能であると共に、前記主冷媒循環路と前記空調冷媒循環路との間の冷媒の流通が不能である空調ユニット非接続状態と、前記空調ユニットバイパス路内の冷媒の流通が不能であると共に、前記主冷媒循環路と前記空調冷媒循環路との間の冷媒の流通が可能である空調ユニット接続状態とを切替える空調ユニット接続切替部と、
前記主冷媒循環路の前記タンク熱交換器と前記室外熱交換器との間に設けられて、前記主冷媒循環路を流通する冷媒を膨張させる第３膨張弁と
を備え、
前記制御部は、前記空調ユニット接続切替部により前記空調ユニット非接続状態とすると共に、前記タンク循環ポンプと前記圧縮機と前記第３膨張弁とを作動させて、前記タンク熱交換器と前記室外熱交換器とによる熱交換を行うことにより、前記貯湯タンク内の湯水を加熱する単独蓄熱運転を実行することが好ましい。
【００１３】
この構成によれば、前記空調ユニットによる室内の空調が不要であるときに、前記単独蓄熱運転を実行して、前記貯湯タンク内の湯水の加熱のみを行うことができる。
【図面の簡単な説明】
【００１４】
【図１】貯湯式給湯装置の構成図（蓄熱乾燥運転実行時の作動状態の説明図）。
【図２】蓄熱冷房運転実行時の作動状態の説明図。
【図３】単独蓄熱運転実行時の作動状態の説明図。
【図４】単独乾燥運転実行時の作動状態の説明図。
【図５】単独冷房運転実行時の作動状態の説明図。
【図６】単独暖房運転実行時の作動状態の説明図。
【発明を実施するための形態】
【００１５】
本発明の実施形態について、図１〜図６を参照して説明する。図１を参照して、本実施形態の貯湯式給湯装置１は、貯湯ユニット１０、ヒートポンプユニット３０、空調ユニット５０、及びコントローラ７０を備えて構成されている。コントローラ７０には、貯湯式給湯装置１を遠隔操作するためのリモコン７５が接続されている。
【００１６】
貯湯ユニット１０は、貯湯タンク１１、給水管１３、出湯管１４、出湯管１４の途中に設けられた補助熱源機２０等を備えている。貯湯タンク１１は内部に湯水を保温して貯める。給水管１３は、一端が水道に接続され、他端が貯湯タンク１１の下部に接続されて、貯湯タンク１１内の下部に水を供給する。
【００１７】
給水管１３から分岐した給水バイパス管１５は、給湯混合弁１６を介して出湯管１４に連通しており、給湯混合弁１６により、貯湯タンク１１から出湯管１４に供給される湯水と給水バイパス管１５から出湯管１４に供給される水との混合比が変更される。
【００１８】
出湯管１４は、一端に出湯栓９０（カラン等）が接続され、他端が貯湯タンク１１の上部に接続されている。貯湯タンク１１の上部に貯められた湯水は、出湯管１４から出湯栓９０に供給される。補助熱源機２０をバイパスして出湯管１４の上流側と下流側の出湯管１４を連通する出湯バイパス管１８には、出湯バイパス管１８を開閉する出湯バイパス弁１７が設けられている。
【００１９】
補助熱源機２０は、出湯管１４の途中に設けられた給湯熱交換器２１と、バーナ２２と、出湯管１４を開閉する出湯開閉弁２３とを備えている。バーナ２２の燃焼排気により給湯熱交換器２１を流通する湯水が加熱される。また、貯湯タンク１１の上部と下部に接続されたタンク循環路１２が設けられている。
【００２０】
次に、ヒートポンプユニット３０は屋外に設置され、冷媒（例えば、ハイドロフルオロカーボン（ＨＦＣ）等の代替フロン、二酸化炭素等）が封入された主冷媒循環路４０により接続された圧縮機４１、第３膨張弁４２、タンク熱交換器４３、室外熱交換器４４、四方弁４６、及び三方弁３２（本発明の空調ユニット接続切替部に相当する）を備えている。室外熱交換器４４は、主冷媒循環路４０において、タンク熱交換器４３との間に圧縮機４１を挟む位置に設けられている。
【００２１】
室外熱交換器４４は、室外ファン４５の回転により供給される空気（外気）と、主冷媒循環路４０内を流通する冷媒との間で熱交換を行う。圧縮機４１は冷媒を圧縮して高温・高圧とする。第３膨張弁４２は、圧縮機４１で加圧された冷媒の圧力を開放する。
【００２２】
タンク熱交換器４３はタンク循環路１２と接続され、タンク循環路１２内を流通する湯水と主冷媒循環路４０を流通する冷媒との間で熱交換を行う。タンク循環路１２には、貯湯タンク１１内の湯水をタンク循環路１２を介して循環させるためのタンク循環ポンプ３１が設けられている。
【００２３】
四方弁４６は、四つのポートａ〜ｄを有し、ポートｂ，ｃ間とポートａ，ｄ間が連通した第１送出状態（図１の状態）と、ポートａ，ｂ間とポートｃ，ｄ間が連通した第２送出状態（後述する図５の状態）とを切替える。
【００２４】
三方弁３２は、三つのポートｅ，ｆ，ｇを有し、ポートｅ，ｇ間が連通してポートｅ，ｆ及びポートｆ，ｇ間が遮断された空調ユニット接続状態（図１の状態）と、ポートｅ，ｆ間が連通してポートｅ，ｇ及びポートｆ，ｇ間が遮断された空調ユニット非接続状態（後述する図３の状態）とを切替える。
【００２５】
三方弁３２のポートｅは主冷媒循環路４０の一端に接続され、三方弁３２のポートｇは後述する空調冷媒循環路５１の一端に接続されている。また、主冷媒循環路４０の他端と空調冷媒循環路５１の他端は、図中Ｘの箇所で接続されている。さらに、空調ユニット５０をバイパスして三方弁３２のポートｆとＸ間を連通する空調ユニットバイパス路４７が設けられている。
【００２６】
空調ユニット接続状態では、主冷媒循環路４０と空調冷媒循環路５１間の冷媒の流通が可能であると共に、空調ユニットバイパス路４７内の冷媒の流通が不能となる。また、空調ユニット非接続状態では、主冷媒循環路４０と空調冷媒循環路５１間の冷媒の流通が不能であると共に、空調ユニットバイパス路４７内の冷媒の流通が可能となる。
【００２７】
なお、図１〜図６においては、三方弁３２の開弁されているポートを白三角で示すと共に、閉弁されているポートを黒三角で示している。
【００２８】
次に、空調ユニット５０は室内（浴室内等）に設置され、一端が三方弁３２のポートｇ（主冷媒循環路４０の一端）に接続されると共に、他端が主冷媒循環路４０の他端Ｘ（空調冷媒循環路５１の室外熱交換器４４側の主冷媒循環路４０との接続箇所）に接続された空調冷媒循環路５１と、室内に設置されて空調冷媒循環路５１の途中に直列に接続された第１室内熱交換器５５及び第２室内熱交換器５８と、空調冷媒循環路５１の第１室内熱交換器５５と第２室内熱交換器５８との間に設けられた第１膨張弁５７と、空調冷媒循環路５１の第１室内熱交換器５５と三方弁３２のポートｇとの間に接続された第２膨張弁５３とを備えている。
【００２９】
第１室内熱交換器５５及び第２室内熱交換器５８は、室内ファン５６の回転により供給される空気（室内の空気）と、空調冷媒循環路５１を流通する冷媒との間で熱交換を行う。第１膨張弁５７及び第２膨張弁５３は、空調冷媒循環路５１を流通する冷媒を膨張させて圧力を下げる。
【００３０】
コントローラ７０は、図示しないＣＰＵ，メモリ，各種インターフェース回路等により構成された電子回路ユニットであり、メモリに保持された貯湯式給湯装置１の制御用プログラムをＣＰＵで実行することによって、貯湯式給湯装置１の作動を制御する機能を果す。
【００３１】
コントローラ７０は、給水管１３又は出湯管１４に設けられた水量センサ（図示しない）によって、出湯栓９０が開栓されたことを検知したときに、出湯栓９０から目標給湯温度（リモコン７５により設定される）の湯が供給されるように制御をする給湯運転を実行する。
【００３２】
コントローラ７０は、貯湯タンク１１の湯切れ（貯湯タンク１１内の湯を使い切った状態）が生じていないときは、出湯バイパス弁１７を開弁状態とすると共に出湯開閉弁２３を閉弁状態とし、出湯栓９０が開けられたときに、出湯栓９０から目標給湯温度（リモコン７５により設定される）の湯が供給されるように、給湯混合弁１６による混合比を調節して給湯運転を実行する。
【００３３】
また、貯湯タンク１１の湯切れが生じているときには、コントローラ７０は、出湯バイパス弁１７を閉弁状態とすると共に出湯開閉弁２３を開弁状態とし、出湯栓９０が開けられたときに、出湯栓９０から目標給湯温度の湯が供給されるように、バーナ２２の燃焼量を調節して給湯運転を実行する。
【００３４】
次に、コントローラ７０は、リモコン７５による操作指示に従って、「蓄熱乾燥運転」、「蓄熱冷房運転」、「単独蓄熱運転」、「単独乾燥運転」、「単独冷房運転」、及び「単独暖房運転」という６種類の運転を実行する。なお、このように、コントローラ７０が「蓄熱乾燥運転」と「蓄熱冷房運転」と「単独蓄熱運転」とを実行する構成は、本発明の制御部に相当する。以下、コントローラ７０による６種類の運転の実行手順について説明する。
【００３５】
なお、以下でタンク循環ポンプ３１をＯＦＦ状態（停止状態）にするとは、タンク循環ポンプ３１を停止若しくは間欠動作状態として、タンク熱交換器４３における湯水と冷媒間の熱交換が実質的に行われない状態にすることを意味する。また、膨張弁（第１膨張弁５７、第２膨張弁５３、第３膨張弁４２）をＯＦＦ状態（停止状態）にするとは、膨張弁が冷媒を膨張して低圧・低温とする機能を果さない状態にすることを意味する。
【００３６】
［１．蓄熱乾燥運転］
図１を参照して、蓄熱乾燥運転の実行手順について説明する。コントローラ７０は、図１に示したように、四方弁４６を第１送出状態として、圧縮機４１により高圧・高温とされた冷媒が四方弁４６のポートｂ，ｃを経由してタンク熱交換器４３に送出される状態とする。また、コントローラ７０は、三方弁３２を空調ユニット接続状態とする。
【００３７】
この状態で、コントローラ７０は、圧縮機４１、室外ファン４５、第１膨張弁５７、及びタンク循環ポンプ３１をＯＮ状態（作動状態）とする。これにより、貯湯タンク１１内の湯水がタンク循環路１２を介して循環する。また、圧縮機４１で高圧・高温とされた冷媒が、圧縮機４１→四方弁４６（ポートｂ→ｃ）→タンク熱交換器４３→三方弁３２（ポートｅ→ｇ）→第２膨張弁５３（ＯＦＦ状態）→第１室内熱交換器５５→第１膨張弁５７（ＯＮ状態）→第２室内熱交換器５８→第３膨張弁４２（ＯＦＦ状態）→室外熱交換器４４→四方弁４６（ポートａ→ｄ）→圧縮機４１の順で、主冷媒循環路４０内を循環する。
【００３８】
その結果、タンク熱交換器４３において、タンク循環路１２を流通する湯水が主冷媒循環路４０内を流通する冷媒との間の熱交換により所定の沸かし上げ温度まで加熱されて、貯湯タンク１１の上部に戻される。これにより、沸かし上げ温度の湯水が、貯湯タンク１１の上部から順次積層して貯められる。
【００３９】
また、空調ユニット５０においては、室内ファン５６の回転により吸入された浴室内の空気が、第２室内熱交換器５８で冷却・除湿されると共に、第１室内熱交換器５５で加熱されて浴室内に戻される。これにより、浴室内に置かれた衣類が乾燥される。
【００４０】
ここで、圧縮機４１で高圧・高温とされた冷媒の熱量は、タンク熱交換器４３と第１室内熱交換器５５で分配されて使用される。そのため、タンク熱交換器４３における湯水の加熱量が多いほど、第１室内熱交換器５５における室内空気の加熱量が少なくなる。
【００４１】
そこで、コントローラ７０は、蓄熱乾燥運転を開始した時から、乾燥進行条件が成立するまでは、タンク熱交換器４３による湯水の加熱量を第１加熱量以上とし、乾燥進行条件が成立した後は、タンク熱交換器４３による湯水の加熱量を第１加熱量よりも減少させる。これにより、衣類の含水量が多く衣類の乾燥がし易い状況では、タンク熱交換器４３での加熱量を増やして貯湯タンク１１内の湯水の加熱を促進しつつ、第１室内熱交換器５５での加熱量を抑えて、低温・低湿度での効率の良い乾燥を行うことができる。
【００４２】
また、乾燥進行条件が成立して、衣類の含水量が少なくなり、衣類の乾燥がし難くなった状況では、タンク熱交換器４３での加熱量を減少させて、第１室内熱交換器５５での室内空気の加熱量を増加させることにより、高温・低湿度での乾燥を行って短時間での乾燥を行うことができる。
【００４３】
なお、乾燥進行条件としては、浴室に設けられた湿度センサ（図示しない）による検出湿度が所定の閾値湿度以下になったこと、或いは蓄熱乾燥運転を開始してから所定時間が経過したこと、等が設定される。また、タンク熱交換器４３での加熱量の調整は、タンク循環ポンプ３１の回転速度の変更によって行なうことができる。
【００４４】
［２．蓄熱冷房運転］
次に、図２を参照して、蓄熱冷房運転の実行手順について説明する。コントローラ７０は、図２に示したように、四方弁４６を第１送出状態として、圧縮機４１により高圧・高温とされた冷媒が四方弁４６のポートｂ，ｃを経由してタンク熱交換器４３側に送出される状態にする。また、コントローラ７０は、三方弁３２を空調ユニット接続状態として、第１膨張弁５７、第３膨張弁４２、室外ファン４５をＯＦＦ状態（停止状態）とする。
【００４５】
この状態で、コントローラ７０は、第２膨張弁５３、室内ファン５６、及びタンク循環ポンプ３１をＯＮ状態（作動状態）とする。これにより、貯湯タンク１１内の湯水がタンク循環路１２を介して循環する。また、圧縮機４１で高圧・高温とされた冷媒が、圧縮機４１→四方弁４６（ポートｂ→ｃ）→タンク熱交換器４３→三方弁３２（ポートｅ→ｇ）→第２膨張弁５３（ＯＮ状態）→第１室内熱交換器５５→第１膨張弁５７（ＯＦＦ状態）→第２室内熱交換器５８→第３膨張弁４２（ＯＦＦ状態）→室外熱交換器４４→四方弁４６（ポートａ→ｄ）→圧縮機４１の順で、主冷媒循環路４０内を循環する。
【００４６】
その結果、タンク熱交換器４３において、タンク循環路１２を流通する湯水が主冷媒循環路４０内を流通する冷媒との間の熱交換により所定の沸かし上げ温度まで加熱されて、貯湯タンク１１の上部に戻される。これにより、沸かし上げ温度の湯水が、貯湯タンク１１の上部から順次積層して貯められる。
【００４７】
また、空調ユニット５０においては、第２膨張弁５３で低圧・低温にされた冷媒が第１室内熱交換器５５と第２室内熱交換器５８に供給される。そして、室内ファン５６の作動により吸入された室内の空気が第１室内熱交換器５５及び第２室内熱交換器５８により冷却されて室内に戻され、室内が冷房される。
【００４８】
［３．単独蓄熱運転］
次に、図３を参照して、単独蓄熱運転の実行手順について説明する。コントローラ７０は、図３に示したように、四方弁４６を第１送出状態として、圧縮機４１により高圧・高温とされた冷媒が四方弁４６のポートｂ，ｃを経由してタンク熱交換器４３に送出される状態とする。また、コントローラ７０は、三方弁３２を空調ユニット非接続状態として、空調ユニット５０の第１膨張弁５７、第２膨張弁５３、室内ファン５６をＯＦＦ状態（停止状態）とする。
【００４９】
このように、三方弁３２を空調ユニット非接続状態とすることによって、浴室の空調を行わずに、貯湯タンク１１内の湯水の沸かし上げのみを行うことができる。
【００５０】
この状態で、コントローラ７０は、圧縮機４１、室外ファン４５、第３膨張弁４２、及びタンク循環ポンプ３１をＯＮ状態（作動状態）とする。これにより、貯湯タンク１１内の湯水がタンク循環路１２を介して循環する。また、圧縮機４１で高圧・高温とされた冷媒が、圧縮機４１→四方弁４６（ポートｂ→ｃ）→タンク熱交換器４３→三方弁３２（ポートｅ→ｆ）→第３膨張弁４２（ＯＮ状態）→室外熱交換器４４→四方弁４６（ポートａ→ｄ）→圧縮機４１の順で、主冷媒循環路４０内を循環する。
【００５１】
その結果、タンク熱交換器４３において、タンク循環路１２を流通する湯水が主冷媒循環路４０を流通する冷媒との熱交換により所定の沸かし上げ温度まで加熱されて、貯湯タンク１１の上部に戻される。これにより、沸かし上げ温度の湯が、貯湯タンク１１の上部から順次積層して貯められる。
【００５２】
［４．単独乾燥運転］
次に、図４を参照して、単独乾燥運転の実行手順について説明する。コントローラ７０は、図４に示したように、四方弁４６を第１送出状態として、圧縮機４１により高圧・高温とされた冷媒が四方弁４６のポートｂ，ｃを経由してタンク熱交換器４３側に送出される状態とする。また、コントローラ７０は、三方弁３２を空調ユニット接続状態として、第２膨張弁５３、第３膨張弁４２、及びタンク循環ポンプ３１をＯＦＦ状態（停止状態）とする。
【００５３】
この状態で、コントローラ７０は、圧縮機４１、室外ファン４５、第１膨張弁５７、及び室内ファン５６をＯＮ状態（作動状態）とする。これにより、圧縮機４１で高圧・高温とされた冷媒が第１室内熱交換器５５に供給されると共に、第１膨張弁５７により膨張されて低圧・低温になった冷媒が第２室内熱交換器５８に供給される。
【００５４】
そして、室内ファン５６の作動により吸入された室内の空気が、第２室内熱交換器５８での熱交換により除湿されると共に、第１室内熱交換器５５での熱交換により加熱されて室内に戻され、室内が乾燥される。
【００５５】
単独乾燥運転においては、タンク循環ポンプ３１がＯＦＦ状態とされて、貯湯タンク１１内の湯水の加熱は行われない。そのため、貯湯タンク１１内の湯水の沸かし上げが完了していて、貯湯タンク１１内にさらに蓄熱することができない場合であっても、室内の乾燥を行うことができる。
【００５６】
［５．単独冷房運転］
次に、図５を参照して、単独冷房運転の実行手順について説明する。コントローラ７０は、図５に示したように、四方弁４６を第２送出状態として、圧縮機４１により高圧・高温とされた冷媒が四方弁４６のポートｂ，ａを経由して室外熱交換器４４側に送出される状態とする。また、コントローラ７０は、三方弁３２を空調ユニット接続状態として、第１膨張弁５７、第２膨張弁５３、及びタンク循環ポンプ３１をＯＦＦ状態（停止状態）とする。
【００５７】
この状態で、コントローラ７０は、圧縮機４１、室外ファン４５、第３膨張弁４２、及び室内ファン５６をＯＮ状態（作動状態）とする。これにより、圧縮機４１で高圧・高温とされて室外熱交換器４４で冷却され、さらに第３膨張弁４２により低圧・低温とされた冷媒が第２室内熱交換器５８及び第１室内熱交換器５５に供給される。
【００５８】
そして、室内ファン５６の作動により吸入された浴室内の空気が、第２室内熱交換器５８及び第１室内熱交換器５５での熱交換によって冷却されて室内に戻され、室内が冷房される。
【００５９】
単独冷房運転においては、タンク循環ポンプ３１がＯＦＦ状態とされて、貯湯タンク１１内の湯水の加熱は行われない。そのため、貯湯タンク１１内の湯水の沸かし上げが完了していて、貯湯タンク１１内にさらに蓄熱することができない場合であっても、室内の冷房を行うことができる。
【００６０】
［６．単独暖房運転］
次に、図６を参照して、単独暖房運転の実行手順について説明する。コントローラ７０は、図６に示したように、四方弁４６を第１送出状態として、圧縮機４１により高圧・高温とされた冷媒が四方弁４６のポートｂ，ｃを経由してタンク熱交換器４３側に送出される状態とする。また、コントローラ７０は、三方弁３２を空調ユニット接続状態として、第１膨張弁５７、第２膨張弁５３、及びタンク循環ポンプ３１をＯＦＦ状態（停止状態）とする。
【００６１】
この状態で、コントローラ７０は、圧縮機４１、室外ファン４５、第３膨張弁４２、及び室内ファン５６をＯＮ状態（作動状態）とする。これにより、圧縮機４１で高圧・高温とされた冷媒が第１室内熱交換器５５及び第２室内熱交換器５８に供給される。
【００６２】
そして、室内ファン５６の作動により吸入された室内の空気が、第１室内熱交換器５５及び第２室内熱交換器５８での熱交換により加熱されて室内に戻され、室内が暖房される。単独暖房運転においては、タンク循環ポンプ３１がＯＦＦ状態とされて、貯湯タンク１１内の湯水の加熱は行われない。
【００６３】
なお、単独乾燥運転、単独冷房運転、及び単独暖房運転のいずれかが実行されているときに、貯湯タンク１１の湯切れが生じたときには、ヒートポンプユニット３０により貯湯タンク１１内の湯水を加熱（沸かし上げ）することができないが、この場合、コントローラ７０は、上述したように、補助熱源機２０を作動させて給湯運転を行なうことができる。
【００６４】
また、本実施形態においては、四方弁４６を備えることによって、単独冷房運転を可能にしたが、単独冷房運転を実行しない場合は四方弁４６は不要である。
【００６５】
また、本実施形態においては、補助熱源機２０を備えることによって、貯湯タンク１１の湯切れが生じたときにも、給湯運転を継続できるようにしたが、補助熱源機２０を備えない場合であっても本発明の効果を得ることができる。
【００６６】
また、本実施形態では、三方弁３２及び空調ユニットバイパス路４７を備えることによって、単独蓄熱運転を可能にしたが、単独蓄熱運転を実行しない場合は三方弁３２及び空調ユニットバイパス路４７は不要である。
【００６７】
また、本実施形態では、本発明の空調ユニット接続切替部として三方弁３２を用いたが、主冷媒循環路４０の接続先を空調冷媒循環路５１と空調ユニットバイパス路４７に切替えることができる他の構成を用いてもよい。
【符号の説明】
【００６８】
１…貯湯式給湯装置、１０…貯湯ユニット、１１…貯湯タンク、１２…タンク循環路、１３…給水管、１４…出湯管、２０…補助熱源機、３０…ヒートポンプユニット、３１…タンク循環ポンプ、３２…三方弁、４０…主冷媒循環路、４１…圧縮機、４２…第３膨張弁、４３…タンク熱交換器、４４…室外熱交換器、４６…四方弁、５０…空調ユニット、５１…空調冷媒循環路、５３…第２膨張弁、５５…第１室内熱交換器、５７…第１膨張弁、５８…第２室内熱交換器、７０…コントローラ。
【図１】
2014202378.tif 000003
【図２】
2014202378.tif 000004
【図３】
2014202378.tif 000005
【図４】
2014202378.tif 000006
【図５】
2014202378.tif 000007
【図６】
2014202378.tif 000008